(57)【特許請求の範囲】
【請求項１】
電力系統の電気量をディジタルデータに変換する統合ユニットと、
前記ディジタルデータに基づいてリレー演算を実行し保護区間内外部判定を行う保護ユニットと、
前記統合ユニットと前記保護ユニットとを接続するプロセスバスと、
前記統合ユニットを試験可能状態に設定する統合ユニット設定装置と、
前記統合ユニット設定装置が前記統合ユニットを試験可能状態に設定したことを示す試験設定中情報を生成する試験設定部と、
前記保護ユニットの試験に用いられる試験用情報を前記統合ユニットに入力する試験用情報入力部と、
前記試験設定部から前記試験設定中情報を、前記試験用情報入力部から前記試験用情報をそれぞれ取り込み、これらの情報を前記プロセスバスに送信する送信部と、
前記プロセスバスから前記試験設定中情報及び前記試験用情報を受信する受信部と、
前記受信部から前記試験設定中情報及び前記試験用情報を組み合わせて受け取り、前記保護ユニットの試験を実行する試験実行部と、
前記保護ユニットが試験設定中であることを表示する保護ユニット表示装置と、を設けたことを特徴とする保護リレーシステム。
【請求項２】
前記統合ユニットが試験設定中であることを表示する統合ユニット表示装置を備えたことを特徴とする請求項１に記載の保護リレーシステム。
【請求項３】
前記統合ユニットは前記試験用情報を保存する保存部と、前記保存部に保存した前記試験用情報の中から所定の試験用情報を呼び出す呼出部と、を設け、
前記送信部は前記呼出部の呼び出した試験用情報を前記プロセスバスへ送信し、
前記受信部は前記呼出部の呼び出した試験用情報を前記プロセスバスから受信することを特徴とする請求項１又は２に記載の保護リレーシステム。
【請求項４】
前記保護ユニットを試験可能状態に設定する保護ユニット設定部と、
前記保護ユニット設定部が前記保護ユニットを試験可能状態に設定したことを示す第２の試験設定中情報を生成する第２の試験設定部と、を設け、
前記試験実行部は、前記第２の試験設定中情報及び前記試験用情報を組み合わせて受け取り、前記保護ユニットの試験を実行することを特徴とする請求項１〜３のいずれか１項に記載の保護リレーシステム。
【請求項５】
前記送信部は、保護対象となる保護ユニットに対して前記試験設定中情報及び前記試験用情報を送信することを特徴とする請求項１〜４のいずれか１項に記載の保護リレーシステム。
【請求項６】
前記保護ユニットは、保護区間内部判定を行った場合には遮断器引きはずし指令を出力し、前記試験設定中の場合は遮断器への引き外し出力信号をロックすることを特徴とする請求項１〜５のいずれか１項に記載の保護リレーシステム。
【請求項７】
前記保護ユニットは、保護区間内部判定を行った場合には遮断器引きはずし指令を出力し、前記試験設定中であり且つ前記試験実行部による試験の結果が所定の閾値以内であれば遮断器への引き外し信号出力を出力し、前記試験設定中であり且つ前記試験実行部による試験の結果が所定の閾値から外れれば遮断器への引き外し信号出力をロックすることを特徴とする請求項１〜５のいずれか１項に記載の保護リレーシステム。
【請求項８】
前記統合ユニットには記録設定可能な記録起動用リレーと、記録起動手動部と、記録時刻設定部と、前記保護ユニットからの記録起動信号の受信部の少なくとも１つを備え、これらの構成要素のいずれかからの信号をトリガとして、前記試験用情報を保存することを特徴とする請求項１〜７のいずれか１項に記載の保護リレーシステム。
【請求項９】
前記保護ユニットには当該ユニットに内蔵の保護リレー起動による記録設定部と、記録手動起動部と、記録時刻設定部と、記録起動信号の出力部と、遮断器への引き外し指令信号出力部の少なくとも１つを備え、これらの構成要素のいずれかからの信号をトリガとして、前記保護ユニット側で採用された前記試験用情報を保存することを特徴とする請求項１〜８のいずれか１項の記載の保護リレーシステム。
【請求項１０】
前記保護ユニットが複数の前記統合ユニットを必要とする場合、任意の統合ユニットにおける前記試験用情報の保存指令信号をもとに、全ての統合ユニットにおける系統情報を保存することを特徴とする請求項１〜９のいずれか１項に記載の保護リレーシステム。
【請求項１１】
前記保護ユニットは対象保護区間に対して１系列、前記統合ユニットは対象保護区間に対して複数系列設置し、
前記任意の統合ユニットから前記試験設定中情報と前記試験用情報を受信することで、当該統合ユニットの前記試験設定部が前記試験設定中情報を生成することを特徴とする請求項１０に記載の保護リレーシステム。
【請求項１２】
前記保護ユニットは対象保護区間に対して１系列、前記統合ユニットは対象保護区間に対して複数系列設置し、
複数の統合ユニットの前記送信部が前記試験設定中情報と前記試験用情報を送信すると、前記保護ユニットの前記受信部に対する受信到達時間が最速の統合ユニットを判別する最速受信の判別部を備えたことを特徴とする請求項１〜１１のいずれか１項に記載の保護リレーシステム。
【請求項１３】
前記保護ユニットは、前記試験設定中情報と前記試験用情報のみを用いて、当該保護ユニットの試験を行うことを特徴とする請求項１〜１２のいずれか１項に記載の保護リレーシステム。
【請求項１４】
前記統合ユニットは、前記試験設定中情報と前記試験用情報のみを用いて、当該統合ユニットに内蔵された保護リレー要素の試験設定を行うことを特徴とする請求項１〜１３のいずれか１項に記載の保護リレーシステム。
【請求項１５】
前記保護ユニットは、保護リレー演算部を備えると共に、前記保護リレー演算部とは別に、試験用の保護リレー演算部を備えたことを特徴とする請求項１〜１４のいずれか１項に記載の保護リレーシステム。
【請求項１６】
電力系統の電気量をディジタルデータに変換する統合ユニットと、前記ディジタルデータに基づいてリレー演算を実行し保護区間内外部判定を行う保護ユニットと、前記統合ユニットと前記保護ユニットとを接続するプロセスバスとを備えた保護リレーシステムの試験方法であって、
前記統合ユニットを試験可能状態に設定する統合ユニット設定ステップと、
前記統合ユニット設定ステップにて前記統合ユニットを試験可能状態に設定したことを示す試験設定中情報を生成する試験設定ステップと、
前記保護ユニットの試験に用いられる試験用情報を前記統合ユニットに入力する試験用情報入力ステップと、
前記試験設定ステップで生成した前記試験設定中情報と、前記試験用情報入力ステップで入力した前記試験用情報をそれぞれ取り込み、これらの情報を前記プロセスバスに送信する送信ステップと、
前記プロセスバスから前記試験設定中情報及び前記試験用情報を受信する受信ステップと、
前記試験設定中情報及び前記試験用情報を組み合わせて受け取り、前記保護ユニットの試験を実行する試験実行ステップと、
前記保護ユニットが試験設定中であることを表示する試験設定表示ステップと、を含むことを特徴とする保護リレーシステムの試験方法。
【発明の詳細な説明】
【技術分野】
【０００１】
本発明の実施形態は、プロセスバスを適用した保護リレーシステム及びその試験方法に関する。
【背景技術】
【０００２】
保護リレーシステムでは、電力設備に系統事故が発生した時、その設備を電力系統から迅速に切り離すことで、電力供給の安定化を図っている。近年では、通信技術及びディジタル保護制御技術の発展を受けて、プロセスバスを導入した保護リレーシステムが提案されている。
【０００３】
プロセスバスを導入した保護リレーシステムでは、統合ユニットと保護ユニットとを備え、これら２種類のユニットを、通信インターフェース部を介してプロセスバスに接続している。統合ユニットは電力系統の電気量をディジタルデータに変換するユニットである。統合ユニットは、系統から電気量を取り込むため、変電機器の近傍に配置されることが多い。また、保護ユニットはシステムの主要部であり、統合ユニットからディジタルデータを取り込んでリレー演算を実行し、保護区間内外部判定を行う。保護ユニットは集中監視室等に配置されるのが一般的である。
【０００４】
このような保護リレーシステムでは、プロセスバスを利用して情報を送受信するため、リアルタイムな情報通信や高精度な時刻同期が可能であり、電力系統の高度情報化を進めることができる。また、プロセスバスを用いた保護リレーシステムでは、複数の統合ユニットから１つの保護ユニットに情報を収集して保護性能を高めることが可能である。
【０００５】
ところで、保護リレーシステムでは定期的な保守及び点検を行う上で、各ユニットに内蔵されたリレー要素の動作値試験を行っている。例えば、保護ユニットではリレー演算試験を行うが、この試験には統合ユニットから試験器を用いて電気量情報を入力する必要がある。電気量情報は電力系統から入力しても電力系統以外から入力しても系統情報として扱う。
【０００６】
上記のリレー演算試験以外にも保護ユニットにて実施される試験としては、変電機器の情報が保護ユニットにて正常に表示されるか否かを確認する機器の表示確認及び制御試験がある。機器の表示確認及び制御試験を実施するためには運用情報が必要である。運用情報とは遮断器や断路器等の外部機器に関する情報あるいは統合ユニット以外の装置からの情報である。上記の系統情報及び運用情報はいずれも、試験に使用される情報なので、ここでは、これらの情報を試験用情報と定義する。
【先行技術文献】
【特許文献】
【０００７】
【特許文献１】特許第３９０７９９８号
【発明の概要】
【発明が解決しようとする課題】
【０００８】
プロセスバスを用いた保護リレーシステムの試験を行う場合、次のような課題が指摘されている。すなわち、統合ユニットは変電機器の近傍に配置し、保護ユニットは集中管理室等に配置する場合、これらのユニットは物理的に離れている。このため、どのユニットで試験を実施しているのかを試験担当者が確かめる作業が面倒であった。したがって試験時に多大な労力を要することになり、試験担当者の作業負担は大きくなっていた。
【０００９】
本実施形態の保護リレーシステムは、上記の課題を解決するためのものである。本実施形態の目的は、試験設定中のユニットを試験担当者に認識させることにより、試験の作業効率を高めて保守及び点検性の向上を図ることにある。
【課題を解決するための手段】
【００１０】
上記目的を達成するために、実施形態の保護リレーシステムは、次の（ａ）〜（ｊ）を設けたことを特徴とする。
（ａ）電力系統の電気量をディジタルデータに変換する統合ユニット。
（ｂ）前記ディジタルデータに基づいてリレー演算を実行し保護区間内外部判定を行う保護ユニット。
（ｃ）前記統合ユニットと前記保護ユニットとを接続するプロセスバス。
（ｄ）前記統合ユニットを試験可能状態に設定する統合ユニット設定装置。
（ｅ）前記統合ユニット設定装置が前記統合ユニットを試験可能状態に設定したことを示す試験設定中情報を生成する試験設定部。
【００１１】
（ｆ）前記保護ユニットの試験に用いられる試験用情報を前記統合ユニットに入力する試験用情報入力部。
（ｇ）前記試験設定部から前記試験設定中情報を、前記試験用情報入力部から前記試験用情報をそれぞれ取り込み、これらの情報を前記プロセスバスに送信する送信部。
（ｈ）前記プロセスバスから前記試験設定中情報及び前記試験用情報を受信する受信部。
（ｉ）前記受信部から前記試験設定中情報及び前記試験用情報を組み合わせて受け取り、前記保護ユニットの試験を実行する試験実行部。
（ｊ）前記保護ユニットが試験設定中であることを表示する保護ユニット表示装置。
【図面の簡単な説明】
【００１２】
【図１】第１の実施形態の構成図。
【図２】第２の実施形態の構成図。
【図３】第３の実施形態の構成図。
【図４】第４の実施形態の構成図。
【図５】第５の実施形態の構成図。
【図６】第６の実施形態の構成図。
【図７】第７の実施形態の構成図。
【図８】第８の実施形態の構成図。
【図９】第９の実施形態の構成図。
【図１０】第１０の実施形態の構成図。
【発明を実施するための形態】
【００１３】
以下、図面を参照して、保護リレーシステムの実施形態について説明する。下記の実施形態は、プロセスバスを用いて保護ユニットと統合ユニットとを接続した保護リレーシステムに適用した技術である。
【００１４】
［第１の実施形態］
図１を用いて、第１の実施形態について説明する。
（保護リレーシステムの概要）
第１の実施形態の特徴的な構成を説明する前に、プロセスバスを適用した保護リレーシステムの概要について、図１を参照して説明する。
【００１５】
図１に示すように、母線１には計器用変流器２を介して遮断器３及び送電線４が接続されている。また、母線１には計器用変圧器５が接続されている。前記遮断器３の近傍に保護リレーシステムの統合ユニット６が配置されている。保護リレーシステムには、統合ユニット６に加えて保護ユニット１７と、遮断器制御ユニット９８が設けられている。なお遮断器制御ユニット９８は統合ユニット６に含まれる場合もある。
【００１６】
統合ユニット６、保護ユニット１７及び遮断器制御ユニット９８には、それぞれ通信インターフェース部１１、１８、９９が設置されており、これを介して各ユニット６、１７、９８がプロセスバス１６に対し相互に接続されている。統合ユニット６において、通信インターフェース部１１にはＡ／Ｄ変換部９が接続され、Ａ／Ｄ変換部９には入力変換器８が接続されている。
【００１７】
保護ユニット１７にはリレー演算部２３と遮断器情報表示処理部２４とが配置されている。遮断器制御ユニット９８には遮断器３に対し引き外し指令を出力する接点駆動部１００が設けられている。
【００１８】
（保護リレーシステムの通常動作）
上記の保護リレーシステムは通常、次のように動作する。計器用変流器２は系統の電流波形信号αを計測し、計器用変圧器５は系統の電圧波形信号βを計測する。統合ユニット６の入力変換器８は計器用変流器２から電流波形信号αを、計器用変圧器５から電圧波形信号βをそれぞれ入力し、これらの信号α、βをＡ／Ｄ変換部９に送る。Ａ／Ｄ変換部９は前記波形信号α、βをディジタルデータである電気量情報に変換して、通信インターフェース部１１に送る。通信インターフェース部１１は電気量情報Ａをプロセスバス１６へと送信する。
【００１９】
保護ユニット１７では、通信インターフェース部１８によりプロセスバス１６から電気量情報Ａを受信し、これをリレー演算部２３へ伝える。リレー演算部２３は受け取った電気量情報Ａに基づいて事故判定の演算処理を行う。リレー演算部２３が遮断器３の引外しが必要であると判定すると、通信インターフェース１８を経由して引外し出力信号をプロセスバス１６へ送信する。
【００２０】
遮断器制御ユニット９８では、通信インターフェース部９９がプロセスバス１６から引外し出力信号を受信すると接点駆動部１００が動作し、遮断器３に引き外し指令を出力する。遮断器３はこの引き外し指令に基づいて引外し動作を行う。以上が保護リレーシステムの通常動作である。
【００２１】
（構成）
第１の実施形態の特徴的な構成について説明する。統合ユニット６には試験用端子７ａ、７ｂと、運用情報である遮断器情報Ｂの入力部１０と、試験設定中情報Ｃを生成する試験設定部１５とが設けられている。試験設定中情報Ｃとは、後述する統合ユニット設定及び表示装置２５が統合ユニット６を試験可能状態に設定したことを示す情報である。
【００２２】
また、通信インターフェース部１１には、遮断器情報Ｂの送信部１２と、系統情報である電気量情報Ａの送信部１３と、試験設定中情報Ｃの送信部１４が設けられている。試験用端子７ａ、７ｂは試験器を用いて電力系統の交流入力電気量を入力する端子である。遮断器情報Ｂの入力部１０は遮断器３に接続され、遮断器情報Ｂを遮断器３から入力するように構成されている。なお、送信部１２〜１４はコンピュータをソフトウエアで制御することにより、各情報の送信機能を実現する部分である。
【００２３】
プロセスバス１６及び統合ユニット６には、統合ユニット設定及び表示装置２５が接続されている。統合ユニット設定及び表示装置２５は、リレー演算試験の設定を行うための第１の統合ユニット設定部２６と、遮断器情報表示試験の設定を行うための第２の統合ユニット設定部２７とを備えている。これら統合ユニット設定部２６、２７は、試験担当者からの操作を受け付けて統合ユニット６を試験可能状態に設定する設定機能と、設定した試験について表示する表示機能を兼ね備えている。
【００２４】
第１の統合ユニット設定部２６は、「試験設定」、「設定」、「解除」と表示した部分を有している。第２の統合ユニット設定部２７は、遮断器３の状態を示す「遮断器「入」」、「設定」、「解除」と表示した部分を有している。このうち、統合ユニット設定部２６の「試験設定」および統合ユニット設定部２７の「遮断器「入」」は、表示状態と表示オフ状態とに切り替え表示可能である。また、統合ユニット設定部２６、２７における「設定」及び「解除」は、試験担当者からの入力操作を受け付ける部分である。
【００２５】
保護ユニット１７側の通信インターフェース部１８には、電気量情報Ａの受信部１９と、遮断器情報Ｂの受信部２０と、試験設定中情報Ｃの受信部２１とが設けられている。受信部１９、２１にはＡＮＤ回路２２ａが接続され、受信部２０、２１にはＡＮＤ回路２２ｂが接続されている。ＡＮＤ回路２２ａにはリレー演算部２３が接続され、ＡＮＤ回路２２ｂには遮断器情報表示処理部２４が接続されている。なお、受信部１９〜２１はコンピュータをソフトウエアで制御することにより、各情報の受信機能を実現する部分である。
【００２６】
プロセスバス１６及び保護ユニット１７には、保護ユニット表示装置２８が接続されている。保護ユニット表示装置２８には、リレー演算部２３の演算結果を示すリレー動作の表示部２９と、遮断器情報の表示部３０と、試験設定中情報の表示部３１とが設けられている。
【００２７】
（試験方法）
第１の実施形態では、保護ユニット１７についてリレー演算試験と遮断器情報表示試験とを実施する。リレー演算試験の実行部は保護ユニット１７のリレー演算部２３であり、試験用情報として系統情報である電気量情報を用いる。また、遮断器情報表示試験の実行部は保護ユニット１７の遮断器情報表示処理部２４及び保護ユニット表示装置２８の遮断器情報表示部３０であり、試験用情報には運用情報である遮断器情報を用いる。
【００２８】
リレー演算試験を実施する場合、第１の統合ユニット設定部２６の「設定」操作に基づいて、第１の統合ユニット設定部２６は統合ユニット６をリレー演算試験の可能状態に設定し、「試験設定」を表示状態にする。第１の統合ユニット設定部２６の設定を受けて、統合ユニット６では試験用端子７ａが試験器を用いて計器用変流器２の計測した電流波形信号αを取り込み、これを入力変換器８に送る。
【００２９】
また、試験用端子７ｂが試験器を用いて計器用変圧器５の計測した電圧波形信号βを取り込み、これを入力変換器８に送る。入力変換器８は電流波形信号α及び電圧波形信号βをＡ／Ｄ変換部９に送り、Ａ／Ｄ変換部９はこれらの信号α、βを電気量情報Ａに変換して通信インターフェース部１１に送る。なお、試験状態を解除させる場合には第１の統合ユニット設定部２６の「解除」操作に基づいて、第１の統合ユニット設定部２６が統合ユニット６におけるリレー演算試験の可能状態を解除し、「試験設定」を表示オフ状態にする。
【００３０】
遮断器情報表示試験を実施する場合は、第２の統合ユニット設定部２７の「設定」操作に基づいて、第２の統合ユニット設定部２７が統合ユニット６を遮断器情報表示試験の可能状態に設定する。第２の統合ユニット設定部２７の設定を受けて、統合ユニット６では、遮断器情報入力部１０が遮断器３から遮断器情報Ｂを入力する。
【００３１】
遮断器情報入力部１０は遮断器情報Ｂを通信インターフェース部１１及び第２の統合ユニット設定部２７に送る。第２の統合ユニット設定部２７は遮断器情報入力部１０からの遮断器情報Ｂを受け、遮断器情報Ｂとして例えば「遮断器「入」」を表示する。なお、第２の統合ユニット設定部２７による「解除」の操作により、第２の統合ユニット設定部２７は統合ユニット６における遮断器情報表示試験の可能状態を解除すると共に、遮断器情報Ｂである「遮断器「入」」を表示オフ状態にする。
【００３２】
第１及び第２の統合ユニット設定部２６、２７の少なくとも一方が統合ユニット６を試験可能状態に設定すると、試験設定部１５は試験設定中情報Ｃを生成し、これを通信インターフェース部１１に送る。通信インターフェース部１１では送信部１３、１２、１４がそれぞれ、電気量情報Ａ、遮断器情報Ｂ、試験設定中情報Ｃをプロセスバス１６へ送信する。
【００３３】
保護ユニット１７側では通信インターフェース部１８の受信部１９、２０、２１がそれぞれ、電気量情報Ａ、遮断器情報Ｂ、試験設定中情報Ｃをプロセスバス１６から受信する。保護ユニット表示装置２８の試験設定中表示部３１は試験設定中情報Ｃを保護ユニット１７側から取り込み、これを表示する。
【００３４】
受信部１９、２１はプロセスバス１６から受信した電気量情報Ａ、試験設定中情報ＣをＡＮＤ回路２２ａに送り、ＡＮＤ回路２２ａはこれらの情報Ａ、Ｃを組み合わせて、リレー演算部２３に出力する。リレー演算部２３は電気量情報Ａ及び試験設定中情報Ｃを受け取ると、試験設定中であることを認識してリレー演算を行う。リレー演算部２３は演算結果を保護ユニット表示装置２８のリレー動作表示部２９に送る。リレー動作表示部２９はリレー要素の動作を表示することで、試験結果を提示する。
【００３５】
受信部２０、２１はプロセスバス１６から受信した遮断器情報Ｂ、試験設定中情報ＣをＡＮＤ回路２２ｂに送る。ＡＮＤ回路２２ｂはこれらの情報Ｂ、Ｃを組み合わせて、遮断器情報表示処理部２４に出力する。遮断器情報表示処理部２４は試験設定中情報Ｃ及び遮断器情報Ｂを受け取ると、試験設定中であることを認識して遮断器情報表示処理を行い、その処理結果を保護ユニット表示装置２８の遮断器情報表示部３０に送る。最終的に遮断器情報表示部３０が遮断器情報Ｂを表示し、確認することで、遮断器情報表示試験が完了する。
【００３６】
（作用効果）
第１の実施形態においては、統合ユニット設定及び表示装置２５における第１の統合ユニット設定部２６が「試験設定」を表示することで、統合ユニット６が試験設定中であることが明確に分かる。また、プロセスバス１６を用いることにより、統合ユニット６の試験設定部１５で生成した試験設定中情報Ｃを、統合ユニット６から保護ユニット１７へと送信可能である。
【００３７】
このため、保護ユニット１７に接続された保護ユニット表示装置２８は、試験設定表示部３１において試験設定中情報Ｃを表示することができる。これにより、試験担当者は保護ユニット１７に関しても試験設定中であることを的確に把握することができる。
【００３８】
以上のように、第１の実施形態によれば、試験設定中である統合ユニット６及び保護ユニット１７を試験担当者に確実に認識させることができる。すなわち、どのユニットで試験を実施しているのかを試験担当者が確かめる作業が容易であり、したがって、統合ユニット６と保護ユニット１７とが物理的に離れていようとも、保護リレーシステムの試験を効率よく行うことができ、システムの保守及び点検業務を簡素化することが可能である。その結果、保護リレーシステムの保守及び点検性が向上し、優れた信頼性を獲得することができる。
【００３９】
［第２の実施形態］
図２は、第２の実施形態の構成図であり、上記第１の実施形態と同一の構成には同一の符号を付与し重複する説明は省略する。また第２の実施形態での系統情報及び運用情報の定義は第１の実施形態と等価とし、系統情報は電気量情報、運用情報は遮断器情報として説明する。
【００４０】
（構成）
図２に示すように、第２の実施形態は、統合ユニット６に、試験用情報となる記録データの保存部３２を備えた点に特徴がある。保存部３２はＡ／Ｄ変換部９及び遮断器情報入力部１０に接続されている。保存部３２はＡ／Ｄ変換部９及び遮断器情報入力部１０から電気量情報及び遮断器情報を取り込み、保存している。
【００４１】
保存部３２には保存部３２から記録データを呼び出す情報呼出部３３が接続されている。情報呼出部３３は通信インターフェース部１１に接続されている。通信インターフェース部１１は、統合ユニット６から保護ユニット１７へ記録データを送信する第１の記録データＤの送信部３４及び第２の記録データＥの送信部３５を備えている。なお、図２以降の図面中において、第１の記録データＤ及び第２の記録データＥは、「記録データ１」及び「記録データ２」として示す。
【００４２】
統合ユニット設定及び表示装置２５は、記録データ設定部３９と試験起動部３８とを設けている。記録データ設定部３９は保存部３２に保存された記録データを表示し、試験担当者の入力操作を受け付けて任意の記録データを選択する部分である。試験起動部３８は、統合ユニット６の通信インターフェース部１１から、保護ユニット１７の通信インターフェース部１８へと、記録データ設定部３９にて選択された記録データを送る部分である。
【００４３】
一方、保護ユニット１７の通信インターフェース部１１は、第１の記録データＤの受信部３６と、第２の記録データＥの受信部３７とを設けている。なお、受信部３６で受信する第１の記録データＤとして、電気量情報を用いるので、第２の実施形態の保護ユニット１７では受信部１９は省略している。
【００４４】
（試験方法）
第２の実施形態においては、保護ユニット１７のリレー演算試験及び遮断器情報表示試験を次のように実施する。まず、統合ユニット設定及び表示装置２５の記録データ設定部３９は、保存部３２に予め保存された記録データを表示し、試験担当者の入力操作に基づいて、電気量情報である第１の記録データＤを選択し、遮断器情報である第２の記録データＥを選択する。
【００４５】
また、統合ユニット設定及び表示装置２５では、第１及び第２の統合ユニット設定部２６、２７により統合ユニット６をリレー演算試験状態及び遮断器情報表示試験状態に設定する。これら統合ユニット設定部２６、２７の設定を受けて、統合ユニット６では呼出部３３が保存部３２から記録データを呼び出し、その中から記録データ設定部３９が選択した第１及び第２の記録データＤ、Ｅを、通信インターフェース部１１に送る。
【００４６】
さらに、統合ユニット設定及び表示装置２５の試験起動部３８が動作すると、送信部３４、３５がそれぞれ、第１及び第２の記録データＤ、Ｅをプロセスバス１６に送信する。なお、統合ユニット６において、入力変換器８、Ａ／Ｄ変換部９、遮断器情報入力部１０、試験設定部１５の設定状態は上記第１の実施形態と同様である。
【００４７】
保護ユニット１７の通信インターフェース部１８では、受信部２１、３６、３７がそれぞれ、試験設定中情報Ｃ、第１及び第２の記録データＤ、Ｅを受信する。ＡＮＤ回路２２ａは受信部３６から第１の記録データＤを、受信部２１から試験設定中情報Ｃを、それぞれ入力し、これらを組み合わせてリレー演算部２３に伝える。リレー演算部２３は電気量情報及び試験設定中情報を受け取ることで試験設定中であることを認識し、保護リレー演算を行う。また、保護ユニット１７は遮断器情報である第２の記録データＥと試験設定中情報Ｃをもとにして、遮断器情報表示処理部２４にて遮断器表示処理を行う。
【００４８】
（作用効果）
以上の常第２の実施形態によれば、保存部３２に予め保存された記録データを系統情報や運用情報として使用することで、これらの情報をあらためて取り入れることなく、保護ユニット１７のリレー演算試験及び遮断器情報表示試験を実施することができる。そのため、統合ユニット６及び保護ユニット１７の保守及び点検作業を所望のタイミングで実施することが可能であり、システム運用者の保守及び点検業務をさらに軽減することができる。
【００４９】
［第３の実施形態］
（構成）
図３は、第３の実施形態の構成図であり、第２の実施形態と同一の構成には同一の符号を付与し重複する説明は省略する。第３の実施形態の統合ユニット６は、第２の実施形態の統合ユニット６から遮断器情報入力部１０と、第２の記録データ送信部３５を省略したものである。また、統合ユニット設定及び表示装置２５からは第２の統合ユニット設定部２７が省略されている。
【００５０】
プロセスバス１６及び保護ユニット１７には、保護ユニット表示及び設定装置２８Ａが接続されている。保護ユニット表示及び設定装置２８Ａには、上記のリレー動作表示部２９に加えて、保護ユニット設定部４４が設けられている。保護ユニット設定部４４は保護ユニット１７をリレー演算試験の可能状態に設定すると共に、設定した試験について表示を実行する部分である。
【００５１】
保護ユニット設定部４４は、統合ユニット６側の統合ユニット設定部２６と同様、「試験設定」、「設定」、「解除」という表示部分を有しており、「試験設定」は表示状態と表示オフ状態とに切り替え表示可能である。また、「設定」及び「解除」は試験担当者からの操作を受け付けて設定機能及びその解除機能を実現する部分である。
【００５２】
第３の実施形態の保護ユニット１７は、ＡＮＤ回路２２ｃと、ＯＲ回路４１ａ、４１ｂと、第２の試験設定中情報Ｆを生成する第２の試験設定部４２と、第２の試験設定中情報Ｆを保存する保存部４３とが設けられている。第３の実施形態では、第２の試験設定部４２と、前記保護ユニット設定部４４を備えた点に特徴がある。
【００５３】
第２の試験設定部４２の生成する第２の試験設定中情報Ｆは、上記保護ユニット設定部４４が保護ユニット１７を試験可能状態に設定したことを示す情報である。第２の試験設定中情報Ｆの保存部４３は第２の試験設定部４２から第２の試験設定中情報Ｆを受け取り、ＡＮＤ回路２２ａ、２２ｃに伝える部分である。
【００５４】
ＯＲ回路４１ａは入力側に受信部１９及び３６が接続され、出力側にＡＮＤ回路２２ａが接続されている。ＯＲ回路４１ｂは入力側にＡＮＤ回路２２ａ、２２ｂが接続され、出力側にリレー演算部２３が接続されている。ＡＮＤ回路２２ｃは入力側に受信部２１、４３が接続され、出力側にＡＮＤ回路２２ｂが接続されている。
【００５５】
（試験方法）
第３の実施形態では、保護ユニット１７のリレー演算試験を次のように実施する。すなわち、統合ユニット設定及び表示装置２５の記録データ設定部３９が保存部３２に予め保存された記録データを表示し、試験担当者の入力操作に基づいて、電気量情報である第１の記録データＤを選択する。
【００５６】
統合ユニット設定及び表示装置２５では、第１の統合ユニット設定部２６により統合ユニット６をリレー演算試験状態に設定する。この設定を受けて、統合ユニット６では呼出部３３が保存部３２から記録データを呼び出し、その中から記録データ設定部３９が選択した第１の記録データＤを、通信インターフェース部１１に送る。
【００５７】
統合ユニット設定及び表示装置２５の試験起動部３８が動作すると、第１の記録データ送信部３４が第１の記録データをプロセスバス１６に送信する。なお、統合ユニット６において、試験用端子７、入力変換器８、Ａ／Ｄ変換部９、遮断器情報入力部１０、試験設定部１５の設定状態は上記第１の実施形態と同様である。
【００５８】
保護ユニット表示及び設定装置２８Ａの保護ユニット設定部４４において、試験担当者が「設定」に対し入力操作を行うと、保護ユニット設定部４４は保護ユニット１７をリレー演算試験の可能状態に設定し、「試験設定」を表示状態にする。なお、試験状態を解除させる場合には試験担当者が保護ユニット設定部４４の「解除」を入力操作することで、保護ユニット設定部４４が保護ユニット１７におけるリレー演算試験の可能状態を解除し、「試験設定」を表示オフ状態にする。
【００５９】
保護ユニット設定部４４が保護ユニット１７を試験可能状態に設定すると、第２の試験設定部４２は保護ユニット１７が試験設定中であることを示す第２の試験設定中情報を生成する。そして、第２の試験設定部４２は生成した第２の試験設定中情報Ｆを保存部４３に送る。
【００６０】
また、保護ユニット１７の通信インターフェース部１８では、受信部２１、３６がそれぞれ、試験設定中情報Ｃ及び第１の記録データＤを受信する。ＡＮＤ回路２２ａはＯＲ回路４１ａを経由して受信部３６から第１の記録データＤを入力すると共に、受信部４３から第２の試験設定中情報Ｆを入力する。
【００６１】
ＡＮＤ回路２２ａは電気量情報である第１の記録データＤと第２の試験設定中情報Ｆとを組み合わせ、ＯＲ回路４１ｂを経由してリレー演算部２３に伝える。リレー演算部２３はこれらの情報Ｄ、Ｆを受け取ることで保護ユニット１７が試験設定中であることを認識し、保護リレー演算を行う。
【００６２】
ＡＮＤ回路２２ｃは、受信部２１を介した統合ユニット６側からの試験設定中情報Ｃと、保護ユニット１７の保存部４３からの第２の試験設定中情報Ｆとを組み合わせ、ＡＮＤ回路２２ｂに出力する。ＡＮＤ回路２２ｂは受信部３６からの第１の記録データＤと、ＡＮＤ回路２２ｃから試験設定中情報Ｃ、Ｆとを組み合わせてリレー演算部２３に伝える。リレー演算部２３はこれらの情報Ｄ、Ｃ、Ｆを受け取ることでも保護リレー演算を行うことができる。
【００６３】
なお、ＯＲ回路４１ａには受信部１９、３６を接続しているので、統合ユニット６から受信する電気量情報として、受信部３６にて受信した第１の記録データＤに代えて、統合ユニット６の試験用端子７ａ、７ｂから取り込んだ試験用の電気量情報Ａを受信部１９に受信し、これを用いてリレー演算を行うことも可能である。
【００６４】
（作用効果）
第３の実施形態では、統合ユニット６から保護ユニット１７に送信された電気量情報である記録データＤ及び試験設定中情報Ｃと、保護ユニット１７で生成された第２の試験設定中情報Ｆとを組み合わせて、リレー演算部２３にてリレー演算試験を行う。このような第３の実施形態によれば、統合ユニット６または保護ユニット１７のいずれかの設定だけで、各ユニット６、１７が試験設定中であることを試験担当者に認識させることができる。これにより、システムの保守及び点検性がいっそう向上する。
【００６５】
また、第３の実施形態においては、統合ユニット６側と保護ユニット１７側とで試験設定中情報Ｃ、Ｆを独立して生成しているので、両者を照合させることで、統合ユニット６及び保護ユニット１７のいずれか一方だけに試験設定中情報を生成した場合と比べて、試験対象ユニットに対する試験担当者の注意喚起力が高くなり、試験の効率をより高めることができる。
【００６６】
［第４の実施形態］
（構成）
図４は、第４の実施形態の構成図であり、第３の実施形態３と同一の構成には同一の符号を付与し重複する説明は省略する。
【００６７】
第４の実施形態において、統合ユニット設定及び表示装置２５は、対象保護ユニットの表示及び選択部４７を設けている。対象保護ユニットの表示及び選択部４７は、複数の保護ユニット１７を表示し、表示された中から試験担当者の操作を受け付けて任意の保護ユニットを選択する。対象保護ユニットの表示及び選択部４７は、選択された対象保護ユニットに関しての情報Ｇを統合ユニット６の通信インターフェース部１１に送る。また、統合ユニット６の通信インターフェース部１１は、対象保護ユニット情報Ｇの送信部４５を設けている。送信部４５は前記表示及び選択部４７によって選択された対象保護ユニット情報Ｇをプロセスバス１６に送信する。
【００６８】
一方、保護ユニット１７の通信インターフェース部１８は対象保護ユニット情報Ｇの受信部４６を設けている。また、第４の実施形態の保護ユニット１７ではＡＮＤ回路２２ｃとＯＲ回路４１ｂと第２の試験設定部４２を省いている。さらに、第４の実施形態の保護ユニット表示装置２８は、第１の実施形態における表示装置２８から遮断器情報表示部３０を省いている。
【００６９】
（試験方法）
第４の実施形態において、保護ユニット１７のリレー演算試験を実施する場合、統合ユニット設定及び表示装置２５の記録データ設定部３９にて、電気量情報である第１の記録データＤを選択する。また、対象保護ユニット表示及び選択部４７にて試験対象となる保護ユニット１７を選択する。
【００７０】
そして、統合ユニット６の通信インターフェース部１１において、送信部１４、３４、４５がそれぞれ、試験設定中情報Ｃ、第１の記録データＤ及び試験対象保護ユニット情報Ｇを、プロセスバス１６を経由して保護ユニット１７の通信インターフェース部１８へ送信する。通信インターフェース部１８では、受信部２１、４６、３６がそれぞれ、試験設定中情報Ｃ、対象保護ユニット情報Ｇ及び第１の記録データＤを受信する。
【００７１】
ＡＮＤ回路２２ｂは受信部２１から試験設定中情報Ｃを、受信部４６から対象保護ユニット情報Ｇをそれぞれ入力し、２つの情報Ｃ、Ｇを組み合わせてＡＮＤ回路２２ａに送る。ＡＮＤ回路２２ａはさらに第１の記録データＤを受信部３６から取り入れて、合計３つの情報Ｃ、Ｄ、Ｇを組み合わせてリレー演算部２３に伝える。
【００７２】
リレー演算部２３は試験設定中情報Ｃと対象保護ユニット情報Ｇとを組合せて選択された対象保護ユニットが試験設定中であることを認識し、さらに電気量情報である第１の記録データＤを組み合わせることで保護リレー演算を行う。なお、第４の実施形態でも、上記第３の実施形態と同じくＯＲ回路４１ａに受信部１９、３６を接続しているので、受信部３６で受信した第１の記録データに代えて、受信部１９で受信した電気量情報Ａを使用することも可能である。
【００７３】
（作用効果）
第４の実施形態によれば、次のような独自の作用効果がある。すなわち、対象保護ユニット表示及び選択部４７により試験対象となる保護ユニット１７を事前に選択してから試験を行うことができる。したがって、試験担当者が試験対象となるユニットを誤認することがなく、試験の作業効率がより向上する。
【００７４】
［第５の実施形態］
（構成）
図５は、第５の実施形態の構成図であり、上記第３の実施形態と同一の構成には同一の符号を付与し、重複する部分については説明を省略する。
【００７５】
第５の実施形態では保護ユニット１７はトリップ出力許可部４８及びトリップ出力禁止部４９を設けた点に特徴がある。トリップ出力許可部４８はＡＮＤ回路２２ｃに対し遮断器３の「使用」指令を出力する。また、トリップ出力禁止部４９はＡＮＤ回路２２ｄに対し遮断器３の「不使用」指令を出力する。
【００７６】
（試験方法）
第５の実施形態においては、リレー演算部２３のリレー演算試験を実施する際、遮断器３への引き外し出力信号を許可あるいは禁止する点に特徴がある。保護ユニット１７では、統合ユニット６から受信した第１の記録データＤと試験設定中情報ＣをＡＮＤ回路２２ａにて組合せてリレー演算部２３に取り込む。リレー演算部２３はこれらの情報Ｃ、Ｄに基づいてリレー演算試験を行う。ここでリレー演算の試験結果をＨとする。このリレー演算試験結果Ｈと試験設定中情報ＣとをＡＮＤ回路２２ｂにて組み合わせて、ＡＮＤ回路２２ｃ、２２ｄに送る。
【００７７】
リレー演算試験結果Ｈが所定の条件を満たしていれば、遮断器３に対する引き外し出力信号を許可する。この場合には、ＡＮＤ回路２２ｃにて試験設定中情報Ｃとトリップ出力許可部４８からの「使用」指令を組み合わせてトリップ出力許可５０を出力する。
【００７８】
また、リレー演算試験結果Ｈが所定の条件を満たしていなければ、遮断器３に対する引き外し出力信号を禁止する。この場合には、ＡＮＤ回路２２ｄにて試験設定中情報Ｃとトリップ出力禁止部４９からの「不使用」指令４９を組み合わせてトリップ出力ロック５１を出力する。なお、上記第３、第４の実施形態と同じく、ＯＲ回路４１ａに受信部１９、３６を接続しているので、前記第１の記録データＤに代えて、統合ユニット６の試験用端子７ａ、７ｂから試験用の電気量情報Ａを取り込んでこれを使用することも可能である。
【００７９】
（作用効果）
以上のような第５の実施形態では、リレー演算試験を行う保護ユニット１７において、遮断器３への引き外し出力信号を許可あるいは禁止することで、試験に対する試験担当者の注意力を高めることができる。また、試験設定中に、リレー演算部２３が動作したとしても、リレー演算試験結果Ｈが所定の条件を満たしていなければ、遮断器３に対する引き外し出力信号を禁止するので、保護ユニット１７の誤動作を確実に防止することができる。したがって、第５の実施形態によれば、遮断器３、統合ユニット６、保護ユニット１７を組み合わせた試験を、安全に行うことが可能となる。
【００８０】
［第６の実施形態］
（構成）
図６は、第６の実施形態の構成図であり、上記第５の実施形態と同一の構成には同一の符号を付与し重複する説明は省略する。
【００８１】
第６の実施形態において、統合ユニット６には、記録設定が可能である記録起動用リレー５２と、記録時刻部５３と、記録手動起動部５４と、記録トリガ６３とを設けている。また、統合ユニット６の通信インターフェース部１１には保護ユニット１７側からの記録起動信号Ｌを受信する受信部５５を備えている。
【００８２】
さらに、統合ユニット６においてＯＲ回路４１ｃは、記録起動用リレー５２からの記録時刻信号Ｉと、記録時刻部５３からの記録手動起動信号Ｊと、記録手動起動部５４からの記録設定信号Ｋと、受信部５５が受信した記録起動信号Ｌを入力する。ＯＲ回路４１ｃはこれらの信号Ｉ〜Ｌのいずれかを記録トリガ６３に出力する。また、統合ユニット設定及び表示装置２５は、統合ユニット６側の記録時刻部５３に記録時刻を設定する記録時刻設定部５６と、統合ユニット６側の記録手動起動部５４または記録起動用リレー５２に対し記録起動指令を出力する記録起動部５７とを設けている。
【００８３】
また、保護ユニット１７には記録時刻部５８と記録手動起動部５９とを設けている。保護ユニット１７の通信インターフェース部１８には記録起動信号Ｌ送信用の送信部６０を備えている。送信部６０は、ＯＲ回路４１ｄから、記録時刻部５８からの記録時刻信号Ｊと記録手動起動部５９からの記録手動起動信号Ｋを入力して、これらの信号Ｊ、Ｋを記録起動信号Ｌとして送信する。また、保護ユニット表示及び設定装置２８Ａは保護ユニット１７側の記録時刻部５８に記録時刻を設定する記録時刻の設定部６１と、保護ユニット１７側の記録手動起動部５９に記録手動起動指令を出力する記録起動部６２を設けている。
【００８４】
（記録データの保存）
上記第６の実施形態の統合ユニット６は、試験用情報である記録データを次のように保存する点に特徴がある。統合ユニット６においては、記録起動用リレー５２からの信号Ｉ、記録時刻部５３からの記録時刻信号Ｊと、記録手動起動部５４からの記録手動起動信号Ｋと、受信部５５が受信した記録起動信号Ｌのいずれかにより、記録トリガ６３を実行する。これにより、統合ユニット６に入力される系統情報として、電気量データを保存部３２へ保存することができる。
【００８５】
また、第６の実施形態では、保護ユニット１７にて採用された試験用の記録データを、統合ユニット６側に送り、これを保存することも可能である。すなわち、統合ユニット６から保護ユニット１７が受信した電気量情報をもとにリレー演算部２３で動作した条件、トリップ出力許可５０の条件、記録時刻部５８または記録手動起動部５９から導かれる条件を、記録起動信号Ｌとして送信部６０から統合ユニット６側へ送信する。
【００８６】
統合ユニット６は記録起動信号Ｌを受信部５５にて受信したことにより、記録トリガ６３を行い、保存部３２に対し、保護ユニット１７側の諸条件下の電気量情報について、試験用の電気量情報として保存することができる。なお、統合ユニット６から保護ユニット１７が受信した電気量情報の受信条件に代えて、送信部３４及び受信部３６による記録データの送受信機能を用いて試験用の電気量情報を保存することも可能である。
【００８７】
（作用効果）
以上のような第６の実施形態によれば、統合ユニット６及び保護ユニット１７の保守及び点検を実施するにあたり、電力系統事故発生時や任意の時刻、人間系による手動機能によって試験用の電気量情報を保存することが可能となる。また、保存された電気量情報を活用することで、容易に保護ユニット１７のリレー演算部２３の確認試験を行うことが可能となり、システム運用者の保守及び点検業務をいっそう簡素化することができる。
【００８８】
［第７の実施形態］
（構成）
図７は第７の実施形態の構成図であり、上記第６の実施形態と同一の構成には同一の符号を付与し重複する説明は省略する。第７の実施形態の統合ユニット６の通信インターフェース部１１は、記録起動信号Ｌの送信部６４を備えている。
【００８９】
（記録データの保存）
第７の実施形態において、プロセスバス１６は複数の統合ユニット６を接続している。第７の実施形態では、記録トリガ６３を実行すると、記録トリガ６３の実行を行った以外の統合ユニット６の送信部６４が、プロセスバス１６に接続された全ての統合ユニット６に対し記録起動信号Ｌを送信するようになっている。
【００９０】
統合ユニット６の通信インターフェース部１１は、送信部６４に加えて、記録起動信号Ｌの受信部５５を備えているので、これ以降の作用は第６の実施形態と等価であり、統合ユニット６にて試験用情報の記録データを保存することができる。なお、記録トリガ６３は、第６の実施形態と同じく、統合ユニット６に備えた記録起動用リレー５２、記録時刻部５３、記録手動起動部５４、保護ユニット１７からの記録起動信号Ｌの受信部５５のいずれかからの信号Ｉ〜Ｌによって実行される。
【００９１】
（作用効果）
上記の第７の実施形態によれば、記録トリガ６３を行った以外の統合ユニット６で試験用記録データを保存することが可能となる。したがって、保護設備対象以外の統合ユニット６及び保護ユニット１７の記録データを、プロセスバス１６に接続された複数の統合ユニット６で保存して、記録データを共有することができる。このため、記録データをより活用することができ、保護ユニット１７のリレー演算部２３の試験や、変電機器の情報表示試験を容易に実施することが可能となって、システムの保守及び点検性を一層高めることができる。
【００９２】
［第８の実施形態］
（構成）
図８は、第８の実施形態の構成図である。第８の実施形態で定義する系統情報は電力系統または電力系統以外から入力される電気量データとして説明する。
【００９３】
第８の実施形態では、保護ユニット１７が１装置、統合ユニット６４、６８が２装置であり、各々の統合ユニット６４、６８の系統情報及び運用情報は、同一の計器用変流器２、計器用変圧器５から入力する構成となっている。統合ユニット６４は入力変換器８ａ、Ａ／Ｄ変換部９ａ及び通信インターフェース部１１ａの他に、保存部３２ａ、呼出部３３ａ、試験用端子７ａ、７ｂ、試験設定部１５ａ、電気量情報の送信部６６、記録データの送信部３４ａ、試験設定中情報Ｃの送信部６７を備えている。
【００９４】
また、統合ユニット６８は入力変換器８ｂ、Ａ／Ｄ変換部９ｂ及び通信インターフェース部１１ｂの他に、保存部３２ｂ、呼出部３３ｂ、試験用端子７１ａ、７１ｂ、試験設定部１５ｂ、電気量情報の送信部６９、記録データの送信部７０、試験設定中情報Ｃの送信部７１を備えている。
【００９５】
一方、保護ユニット１７は統合ユニット６４、統合ユニット６８とプロセスバス１６を介して接続されており、通信インターフェース部１８の他に電気量受信７２、記録データ受信７４、試験設定受信７４、電気量受信部７５、第４の記録データ受信部７６、試験設定受信部７７、受信先着判定処理部７５を備えている。
【００９６】
（試験方法）
第８の実施形態においてリレー演算部２３の試験を行う場合、統合ユニット設定及び表示装置２５から統合ユニット６４の試験設定を行い、その後、試験用端子７ａ、７ｂから交流入力電気量を入力する。これにより、統合ユニット６４の送信部６６、６７は電気量情報Ａ及び試験設定中情報Ｃを取り込む。
【００９７】
そして、送信部６６、６７は保護ユニット１７の通信インターフェース部１８へと電気量情報Ａ及び試験設定中情報Ｃを、プロセスバス１６を経由して送信する。保護ユニット１７の受信部７２、７４は、統合ユニット６４からの情報として通信インターフェース部１８を介して電気量情報Ａと試験設定中情報Ｃを受信し、電気量情報Ａと試験設定中情報Ｃとを組み合わせて、受信先着判定処理部７５に入力する。
【００９８】
また、統合ユニット設定及び表示装置２５から、もう一方の統合ユニット６８の試験設定を行い、その後、試験用端子７１ａ、７１ｂから交流入力電気量を入力する。これにより、統合ユニット６８の送信部６９、７１は電気量情報Ａ及び試験設定中情報Ｃを取り込む。そして、送信部６９、７１は保護ユニット１７の通信インターフェース部１８に対し電気量情報Ａ及び試験設定中情報Ｃを、プロセスバス１６を経由して送信する。
【００９９】
保護ユニット１７の受信部７５、７７は統合ユニット６８からの情報として通信インターフェース部１８を介して電気量情報Ａと試験設定中情報Ｃを受信し、電気量情報Ａと試験設定中情報Ｃとを組み合わせて、受信先着判定処理部７５に入力する。受信先着判定処理部７５は、先着でデータ到着を認識し、先着した電気量情報Ａと試験設定中情報Ｃをリレー演算部２３に送る。リレー演算部２３は電気量情報Ａと試験設定中情報Ｃを用いてリレー演算試験を行う。なお、統合ユニット６４、６８の送信部３４ａ、７０を用いて、電気量情報Ａに代えて保護ユニット１７側に記録データを送信するようにしてもよい。
【０１００】
（作用効果）
第８の実施形態には、保護ユニット１７側に受信先着判定処理部７５を設けたことで、次のような作用効果を得ることができる。すなわち、受信先着判定処理部７５が受信先着判定を行うので、プロセスス１６において統合ユニット６４、６８を複数接続した場合でも、試験担当者は系統情報及び運用情報の到着順を意識することなく、容易に試験、保守、点検を行うことが可能となる。したがって、試験担当者の負担を軽減することが可能となる。
【０１０１】
［第９の実施形態］
（構成）
図９は、第９の実施形態の構成図である。上記第６の実施形態と同一の構成には同一の符号を付与し重複する説明は省略する。
【０１０２】
第９の実施形態の統合ユニット６では、ＡＮＤ回路２２ｅから記録起動用リレー５２に対し、試験設定部１５からの試験設定中情報Ｃと、呼出部３３からの記録データとを送るようになっている。また、保護ユニット１７は試験設定部４２ａ、記録トリガ８２、保存部８４、呼出部８５を備えている。
【０１０３】
さらに保護ユニット１７ではＡＮＤ回路２２ｆからリレー演算部２３に対し、試験設定部４２ａからの試験設定中情報Ｇと呼出部８５からの記録データとを送るようになっている。また、プロセスバス１６及び保護ユニット１７に接続される保護ユニット表示及び設定装置２８Ａには、保護ユニット設定部４４、記録時刻の設定部６１と、記録起動部６２に加えて、記録データ設定部３９が設けられている。記録データ設定部３９は保存部８４に保存された記録データを表示し、試験担当者の入力操作を受け付けて任意の記録データを選択する部分である。
【０１０４】
このような第９の実施形態では、統合ユニット６において、内蔵された記録起動用リレー５２の保守点検を行う場合、試験設定部１５からの試験設定中情報Ｃと記録データ８１とを組み合わせて、記録起動用リレー５２の動作確認を行うことができる。また、保護ユニット１７では、保護ユニット設定及び表示装置２８Ａからの設定を受けて、試験設定部４２ａは試験設定中情報Ｇを生成する。
【０１０５】
また、記録トリガ８２により保存部８４に保存された記録データは、保護ユニット設定及び表示装置２８Ａの記録データ設定部３９を通じて選択することが可能である。リレー演算部２３は試験設定中情報Ｇと呼出部８５からの記録データとを組み合わせて取り込み、リレー演算部２３のリレー演算を行うことが可能となる。
【０１０６】
（作用効果）
上記の第９の実施形態によれば、統合ユニット６または保護ユニット１７の試験設定条件と、各々のユニット６、１７で保存された記録データを用いて、統合ユニット６に内蔵された保護リレー要素の試験を行うことが可能となり、システムの保守及び点検性をより高めることができる。
【０１０７】
［第１０の実施形態］
（構成）
図１０は、第１０の実施形態の構成図であり、第１の実施形態と同一の構成には同一の符号を付与し重複する説明は省略する。
【０１０８】
第１０の実施形態では、複数の統合ユニット６ｃ、６ｄ、６ｅを用いて、保護ユニット１７のリレー演算を行う構成である。第１０の実施形態の統合ユニット６ｃ、６ｄ、６ｅは各々、入力変換器８ｃ、８ｄ、８ｅ、Ａ／Ｄ変換部９ｃ、９ｄ、９ｅ及び通信インターフェース部１１ｃ、１１ｄ、１１ｅ、試験器を用いて系統情報を入力可能な試験用端子７ｃ、７ｄ、７ｅ、を備えている。統合ユニット６ｃ、６ｄ、６ｅの各通信インターフェース部１１ｃ、１１ｄ、１１ｅには電気量情報の送信部８６、８７、８８を設けている。
【０１０９】
統合ユニット６ｅは試験設定部１５ｅを有している。また、統合ユニット６ｅの試験用端子７ｅに対し試験用電気量情報を出力する試験用電気量情報出力部を接続している。さらに、統合ユニット６ｅの通信インターフェース部１１ｅは試験設定中情報の送信部８９を備えている。
【０１１０】
また、プロセスバス１６及び統合ユニット６ｅに統合ユニット設定及び表示装置２５ａを接続する。統合ユニット設定及び表示装置２５ａは試験設定及び表示部２６を備えている。一方、保護ユニット１７はリレー演算部２３の他に統合ユニット６ｃ、６ｄ、６ｅからの電気量情報Ａの受信部９０、９１、９２と、試験設定中情報Ｃの受信部９３とを備えている。
【０１１１】
保護ユニット１７はリレー演算部２３とは別に試験用リレー演算部９４を設けている。試験用リレー演算部９４は保護ユニット１７のリレー演算部に収納されている同一のリレー要素または確認試験用としての最小限のリレー要素のいずれかでもよい。また、プロセスバス１６及び保護ユニット１７に接続可能な保護ユニット表示装置２８は試験用リレー演算部９４の演算結果を表示する試験用リレー表示部９５を備えている。
【０１１２】
（試験方法）
保護ユニット１７は統合ユニット６ｃからの電気量情報Ａを受信部９０にて受信し、統合ユニット６ｄからの電気量情報を受信部９１にて受信し、統合ユニット６ｅからの電気量情報Ａ及び試験設定中情報Ｃを受信部９２、９３にて受信する。電気量情報Ａと試験設定中情報Ｃと組み合わせて試験用リレー演算部９４に送り、試験用リレー演算部９４はリレー演算試験を実施する。
【０１１３】
保護ユニット表示装置２８の試験用リレー表示部９５は、試験用リレー演算部９４の演算結果を表示する。これにより、試験設定中のリレー動作確認を行うことが可能である。なお、受信部９２にて受信された電気量情報Ａは、保護ユニット１７にて試験設定を行っていない場合は、電気量受信１、電気量受信２及び電気量受信３を組み合わせてリレー演算部２３にて、通常のリレー演算を実施することが可能である。
【０１１４】
（作用効果）
以上のような第１０の実施形態によれば、リレー演算部２３により通常の保護リレー演算を継続しつつ、試験用リレー演算部９４にてリレー演算試験を実施することができる。このため、試験の実施と平行して、通常の保護リレー演算を継続可能である。
【０１１５】
したがって、統合ユニット６をプロセスバス１６に対し新たに増設する必要がある場合、試験設定条件や電気量情報、さらに試験用リレーを組み合わせることで、運用中の統合ユニット６及び保護ユニット１７の機能に影響を与えることなく、保護機能を維持することが可能となる。その結果、統合ユニットを増設作業が完了するまで保護ユニットが停止される心配がなく、保護リレーシステムは優れた保護機能を維持することができる。
【０１１６】
［他の実施形態］
なお、上記の実施形態は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【０１１７】
例えば、機器情報の表示試験に対象機器としては遮断器に限らず、断路器であってもよい。また、ユニットが試験設定中であることを示す試験設定中情報を示す表示としては、「設定」、「設定中」、「試験設定中」等、適宜選択可能であり、表示の態様も変更可能である。さらに、システムの各種設定や処理については、周辺装置を備えたコンピュータをプログラムで制御することで実現可能であり、その実現態様は適宜選択である。
【符号の説明】
【０１１８】
６、６ｃ、６ｄ、６ｅ、６４、６８…統合ユニット
７ａ、７ｂ、７ｃ、７ｄ、７ｅ…試験用端子
８、８ａ、８ｂ、８ｃ、８ｄ、８ｅ…入力変換部
９、９ａ、９ｂ、９ｃ、９ｄ、９ｅ…Ａ／Ｄ変換器
１０…遮断器情報入力部
１１、１８…通信インターフェース部
１２…遮断器情報の送信部
１３…電気量情報の送信部
１４…試験設定中情報の送信部
１５、１５ｂ、１５ｅ…試験設定部
１６…プロセスバス
１７…保護ユニット
１９、８６、８７、８８…電気量情報の受信部
２０…遮断器情報の受信部
２１…試験設定中情報の受信部
２３…リレー演算部
２４…遮断器情報表示処理部
２５…統合ユニット設定及び表示装置
２６…第１の統合ユニット設定部
２７…第２の統合ユニット設定部
２８…保護ユニット表示装置
２８Ａ…保護ユニット表示及び設定装置
３２、３２ａ、３２ｂ、８４…保存部
３３、３３ａ、３３ｂ、８５…呼出部
３４…第１の記録データの送信部
３５…第２の記録データの送信部
３６…第１の記録データの受信部
３７…第２の記録データの受信部
３８…試験起動部
３９…記録データ設定部
４４…保護ユニット設定部
４７…対象保護ユニットの表示及び選択部
４８…トリップ出力許可部
４９…トリップ出力禁止部
７５…受信先着判定処理部
【図１】
0005901989.tif 000002
【図２】
0005901989.tif 000003
【図３】
0005901989.tif 000004
【図４】
0005901989.tif 000005
【図５】
0005901989.tif 000006
【図６】
0005901989.tif 000007
【図７】
0005901989.tif 000008
【図８】
0005901989.tif 000009
【図９】
0005901989.tif 000010
【図１０】
0005901989.tif 000011